(57)【要約】      （修正有）【課題】全方位に放射範囲を有する照明灯具を提供する。【解決手段】主として、電灯の笠２とＬＥＤモジュール４及び光学レンズ３を備え、ＬＥＤモジュールから放射された光が、光学レンズにより屈折及び反射された後、外方向へ発散し、光学レンズの所定の形状や曲率により、ＬＥＤモジュールから発射された光が、反射及び屈折により、全方位に放射する効果を得ることができ、これにより、高輝度や優れた発光効率及び省エネルギー環境保護を実現することができる。【選択図】図３
0003159653.tif 000002
【実用新案登録請求の範囲】
【請求項１】
電灯の笠と、該笠に実装されたＬＥＤモジュールと、が含有される照明灯具であって、
更に、上記ＬＥＤモジュールから放射した光を、屈折又は／及び反射を経てから発散する光学レンズと、が含有される、
ことを特徴とする照明灯具。
【請求項２】
光学レンズに、上記ＬＥＤモジュールの発光ダイオードが収納される少なくとも一つの収納空間が形成されることを特徴とする請求項１に記載の照明灯具。
【請求項３】
上記光学レンズの上記収納空間の内表面が、球面で、その球心が、上記発光ダイオードの発光点に位置することを特徴とする請求項２に記載の照明灯具。
【請求項４】
上記光学レンズが、回転体であり、回転中心線が、上記ＬＥＤモジュールの発光ダイオードの発光点を通すことを特徴とする請求項３に記載の照明灯具。
【請求項５】
上記回転体の仮想回転面が、花弁状で、両側が、外方向へ突出する円弧状であることを特徴とする請求項４に記載の照明灯具。
【請求項６】
上記光学レンズに、上記発光ダイオードを収納する収納空間に応じて、円形状凹部が形成されることを特徴とする請求項５に記載の照明灯具。
【請求項７】
上記光学レンズの下部に、上記ＬＥＤモジュールに固定された実装部が設置されることを特徴とする請求項１から６のいずれか一項に記載される照明灯具。
【考案の詳細な説明】
【技術分野】
【０００１】
本考案は、照明灯具に関し、さらに詳しくは、高輝度で、発光効率がよく、省エネルギー型で環境保護に適した照明灯具に関する。
【背景技術】
【０００２】
ＬＥＤ灯は、高輝度や省エネルギー及び耐用寿命が良いため、幅広く各種分野に適用されるが、ＬＥＤ灯により放射された光は、比較的集中しているため、光線が、約１２０度の範囲に集中され、図１のような美術灯８の場合、光の分布が良くないため、美術灯の下方において、光線が照射していない箇所が存在して、死角や陰影が発生し、美術灯の外観効果が低減されるという問題がある。
【０００３】
従って、ＬＥＤモジュールを発光源とした光を集中させることなく広範囲に放射できる照明灯具の開発が切望されてきた。
【０００４】
かかる状況下において、特許文献１によれば、ランプボディとその前面開口に取り付けられるレンズとで形成されるランプ室内に複数のＬＥＤが実装されたフラット回路と、そのＬＥＤで発光した光を反射させるリフレクタ構造体が設けられたＬＥＤ灯具が記載されている。
【０００５】
しかし、放射光線を広範囲に分散させる点については開示がされていない。
【特許文献１】国際公開ＷＯ２００６／０９５６９２号公報
【考案の開示】
【考案が解決しようとする課題】
【０００６】
従って、本考案の課題は、ＬＥＤ灯から放射される光線の集中を排除し、広角度で放射する発散状態とする照明灯具を提供する点にある。
【課題を解決するための手段】
【０００７】
そこで、本考案者は、前記の本考案の課題を解決するため鋭意検討を重ねた結果、ＬＥＤモジュールと特定の光学レンズとを組み合わせることにより、前記課題を解決できることに着目し、本考案に想到した。
【０００８】
すなわち、本考案の目的は、省エネルギー型で環境保護に対応しており、かつ高輝度及び優れた発光効率が得られる照明灯具を提供する点にある。
【０００９】
かくして、本発明によれば、請求項１において、
電灯の笠と、該笠に実装されたＬＥＤモジュールと、が含有される照明灯具であって、
更に、上記ＬＥＤモジュールから放射した光を、屈折又は／及び反射を経てから発散する光学レンズと、が含有されることを特徴とする照明灯具が提供される。
【００１０】
請求項２の考案によれば、光学レンズに、上記ＬＥＤモジュールの発光ダイオードが収納される少なくとも一つの収納空間が形成されることを特徴とする請求項１に記載の照明灯具が提供される。
【００１１】
請求項３の考案によれば、上記光学レンズの上記収納空間の内表面が、球面で、その球心が、上記発光ダイオードの発光点に位置することを特徴とする請求項２に記載の照明灯具が提供される。
【００１２】
請求項４の考案によれば、上記光学レンズが、回転体であり、回転中心線が、上記ＬＥＤモジュールの発光ダイオードの発光点を通すことを特徴とする請求項３に記載の照明灯具が提供される。
【００１３】
請求項５の考案によれば、上記回転体の仮想回転面が、花弁状で、両側が、外方向へ突出する円弧状であることを特徴とする請求項４に記載の照明灯具が提供される。
【００１４】
請求項６の考案によれば、上記光学レンズに、上記発光ダイオードを収納する収納空間に応じて、円形状凹部が形成されることを特徴とする請求項５に記載の照明灯具が提供される。
【００１５】
請求項７の考案によれば、上記光学レンズの下部に、上記ＬＥＤモジュールに固定された実装部が設置されることを特徴とする請求項１から６のいずれか１項に記載される照明灯具が提供される。
【考案の効果】
【００１６】
本考案は、前記の通りの光学レンズ、ＬＥＤモジュール及び放熱器を少なくとも有する構成からなるものであり、ＬＥＤモジュールの発光ダイオードから放射される光線を光学レンズの作用により集中させることなく散乱状態とする点において顕著な効果を奏する。
【考案を実施するための最良の形態】
【００１７】
以下、図面を参照しながら、本考案の特徴及び技術内容について、詳しく説明する。          
【００１８】
もっとも、それらの図面等は、参考や説明のためであり、本考案は、それらによって限定されるものではない。
【００１９】
図２及び図３に示すように、本考案に係る照明灯具１０は、灯固定摘み１、電灯の笠２、光学レンズ３、ＬＥＤモジュール４、放熱器５、灯ステー６及び灯底部７を備えたものである。
【００２０】
灯固定摘み１と灯ステー６により、ＬＥＤモジュール４が固定され、灯底部７内に設置され、放熱器５により、ＬＥＤモジュールが放熱される。また、美術灯の輝度を向上するために、大パワーであるＬＥＤモジュールを採用することができ、光学レンズ３は、ＬＥＤモジュール４の発光ダイオードの上方に位置し、特別加工により作製された曲率を変化させた光学レンズである。ＬＥＤモジュール４の発光ダイオードが点灯される時、発射した光線を、ＬＥＤ光学レンズ３を通すことにより、屈折及び反射現象が発生するが、ＬＥＤ光学レンズの曲率が異なるため、光線のレンズに対する入射光線の入射角が異なり、屈折及び反射の比率も変化して、光線が散乱し、そのため、ＬＥＤの点光源が、ＬＥＤレンズの作用により、散乱光源になり、図２に示すように、灯具全体としての外観効果が良くなり、死角や陰影を発生しない状態となる。
【００２１】
図４から分かるように、光学レンズ３は、碗状である。図５に示すように、光学レンズ３は、回転体３１と実装部３３からなり、回転体３１は、光学レンズの主な部分であり、ＬＥＤモジュール４から放射した光線が、主として、屈折及び反射の作用により、発散光線になり、実装部３３により、回転体３１が、ＬＥＤモジュールに固定される。また、図６、図８と図９に示すように、回転体３１は、ＬＥＤモジュール４の発光ダイオードを収納する収納空間３４を有する。収納空間３４は、ほぼ半球形で、その中心が、ＬＥＤモジュール４の発光ダイオードの発光中心点に位置する。光線が、発光ダイオードから出射された後、垂直的に回転体３１に入射し、これにより、光の損失が低減される。また、収納空間３４に対応する位置に、凹部３２が形成される。回転体の回転面は、線段３１１、３１２、３１３、３１４、３１５、３１６、３１７、３１８からなり、ほぼ花弁状で、ＬＥＤモジュール４の発光ダイオードの発光中心点の周りにおいて、ＬＥＤモジュール４の中心線３１０に垂直するように配置されるため、回転体３１が形成される。また、線段３１１は、発光ダイオードの発光中心点を円心とする円弧で、線段３１５と線段３１７は、外方向へ突出する円弧線である。上記のように、回転体３１は、特別な形状を有する凸レンズであり、光線を発散する作用を発揮することができる。
【００２２】
本考案によれば、用途に応じて、電灯の笠２に、各種類の材質や外形を採用することができ、また、本考案に係る技術により、多様化された照明効果を実現することができる。
【００２３】
本考案によれば、ＬＥＤ灯から放射された光が集中する欠点が解消され、高発光效率を利用して、省エネルギーや環境保護の利点が得られ、光学レンズによる反射及び屈折により、光の分布がより合理的になり、また、優れた発光効率を得ることができる。
【００２４】
以上は、本考案のより良い実施例であり、本考案は、それらによって限定されるものではない。
【図面の簡単な説明】
【００２５】
【図１】状来のＬＥＤ灯の光線分布の概念図である。
【図２】本考案の一実施形態による照明灯具の光線分布の概念図である。
【図３】本考案の一実施形態による照明灯具の構造分解図である。
【図４】本考案の一実施形態による照明灯具の光学レンズの斜視図である。
【図５】本考案の一実施形態による照明灯具の光学レンズの正面図である。
【図６】本考案の一実施形態による照明灯具の光学レンズの平面図である。
【図７】本考案の一実施形態による照明灯具の光学レンズの側面図である。
【図８】本考案の一実施形態による照明灯具の光学レンズの底面図である。
【図９】本考案の一実施形態による照明灯具の光学レンズの断面図である。
【符号の説明】
【００２６】
１      灯固定摘み
１０    照明灯具
２      電灯の笠
３      光学レンズ
３１    回転体
３１０  中心線
３１１、３１２、３１３、３１４、３１５、３１６、３１７、３１８  線段
３２    凹部
３３    実装部
３４    収納空間
４      ＬＥＤモジュール
５      放熱器
６      灯ステー
７      灯底部
８      美術灯
【図１】
0003159653.tif 000003
【図２】
0003159653.tif 000004
【図３】
0003159653.tif 000005
【図４】
0003159653.tif 000006
【図５】
0003159653.tif 000007
【図６】
0003159653.tif 000008
【図７】
0003159653.tif 000009
【図８】
0003159653.tif 000010
【図９】
0003159653.tif 000011